(57)【要約】【課題】乳幼児の情報を記載して通い帳として利用される連絡帳に関して、情報の記載に際して複写が得られるようにし、転記作業を無くした利用勝手のよい連絡帳を得る。【解決手段】ノンカーボンシステムとして同時複写可能にした上紙６と下紙７とのそれぞれに、時刻割りを横方向に並び設けて乳幼児の生活行為情報をその生活行為の行動時刻位置に記入する時刻割り行為情報記入欄９と、施設者が預け受けた乳幼児に関する施設者側から家庭における育児者への連絡事項を記載する預け入れ施設側連絡事項記入欄１１と、乳幼児に関する家庭の育児者側から施設者への連絡事項を記入する家庭側連絡事項記入欄１０と、身体模式図１３が印刷されていて乳幼児の外観特徴事項を記入する外観特徴事項記入欄１２とを、上下に重なる位置にして設けた。【選択図】図２
0003146581.tif 000002
【実用新案登録請求の範囲】
【請求項１】
上紙と下紙とが重ね合わされて上紙への書き込み情報が下紙に同時複写されるノンカーボンシステムを有する組が複数綴じ合わされ、前記組それぞれの下紙が綴じ元側から分離可能に設けられている片綴じ帳であって、
上紙と下紙とのそれぞれには、
時刻割りを横方向に並び設けて乳幼児の生活行為情報をその生活行為の行動時刻位置に記入する時刻割り行為情報記入欄と、
施設者が預け受けた乳幼児に関する前記施設者側から家庭における育児者への連絡事項を記載する預け入れ施設側連絡事項記入欄と、
前記乳幼児に関する前記家庭の育児者側から前記施設者への連絡事項を記入する家庭側連絡事項記入欄と、
身体模式図が印刷されていて乳幼児の外観特徴事項を記入する外観特徴事項記入欄とが、上下に重なる位置にして設けられていて、
前記時刻割り行為情報記入欄は、預け入れ施設の乳幼児預かり受け時間から、または乳幼児引き渡し時間から時刻割りが割り振られた欄構成として、該時刻割り行為情報記入欄での乳幼児の預け入れ施設所在時間帯となる部分の近傍位置に、前記預け入れ施設側連絡事項記入欄が配置され、時刻割り行為情報記入欄での乳幼児の家庭所在時間帯となる部分の近傍位置に、前記家庭側連絡事項記入欄が配置され、前記預け入れ施設側連絡事項記入欄と前記家庭側連絡事項記入欄との間に、前記外観特徴事項記入欄が配置されていることを特徴とする乳幼児用連絡帳。
【考案の詳細な説明】
【技術分野】
【０００１】
本考案は乳幼児を預かり受ける預け入れ施設者と乳幼児の家庭における父母などの育児者との間で乳幼児に関する連絡事項をやりとりするために用いる連絡帳に関するものである。
【背景技術】
【０００２】
従来、乳幼児の育児に関する日々の情報を家庭や乳幼児を預け受ける施設で記録する作業を行ない易くする目的として、一日一面とした情報記録部分を有する帳面が各種提案されている。例えば、特許文献１に示されているように、食事、睡眠などの生活行為を書き留め易くするために時刻割りした記入欄を情報記入部分の一部として備えるようにした技術がある。
【特許文献１】特開２００７−０６９５５０
【考案の開示】
【考案が解決しようとする課題】
【０００３】
また昨今では、乳幼児の預け入れ施設での乳幼児に係わる各種の生活情報を家庭の父母などに連絡するための記入欄を有するとともに、その乳幼児の家庭での生活情報を家庭の育児者側から預け入れ施設者に連絡するための記入欄を有する連絡帳を通い帳として用いられていて、このような連絡帳では一面を一日分として、その一面ずつに、乳幼児の生活行為（睡眠、食事、排便など）に係わる一日分の情報を書き込むとともに、預け入れ施設側から家庭へのその日の連絡事項の記入欄と、預け入れ施設から引き取ってからつぎに施設に預け入れるまでで家庭で気づいた施設側への連絡事項を書き込むための記入欄とが組まれている。
しかしながら、その小児に係わる情報は連絡帳のみにしか存在しないことになるため、預け入れ施設側で単独で情報を管理できるようにするために連絡帳から情報を他の帳面などに転記する作業を行なっており、この転記作業が煩雑になるという問題があった。
そこで本考案は上記事情に鑑み、乳幼児の情報を記載して通い帳として利用される連絡帳に関して、情報の記載に際して複写が得られるようにすることを課題とし、転記作業を無くした利用勝手のよい連絡帳を得ることを目的とするものである。
【課題を解決するための手段】
【０００４】
本考案は上記課題を考慮してなされたもので、上紙と下紙とが重ね合わされて上紙への書き込み情報が下紙に同時複写されるノンカーボンシステムを有する組が複数綴じ合わされ、前記組それぞれの下紙が綴じ元側から分離可能に設けられている片綴じ帳であって、上紙と下紙とのそれぞれには、時刻割りを横方向に並び設けて乳幼児の生活行為情報をその生活行為の行動時刻位置に記入する時刻割り行為情報記入欄と、施設者が預け受けた乳幼児に関する前記施設者側から家庭における育児者への連絡事項を記載する預け入れ施設側連絡事項記入欄と、前記乳幼児に関する前記家庭の育児者側から前記施設者への連絡事項を記入する家庭側連絡事項記入欄と、身体模式図が印刷されていて乳幼児の外観特徴事項を記入する外観特徴事項記入欄とが、上下に重なる位置にして設けられていて、前記時刻割り行為情報記入欄は、預け入れ施設の乳幼児預かり受け時間から、または乳幼児引き渡し時間から時刻割りが割り振られた欄構成として、該時刻割り行為情報記入欄での乳幼児の預け入れ施設所在時間帯となる部分の近傍位置に、前記預け入れ施設側連絡事項記入欄が配置され、時刻割り行為情報記入欄での乳幼児の家庭所在時間帯となる部分の近傍位置に、前記家庭側連絡事項記入欄が配置され、前記預け入れ施設側連絡事項記入欄と前記家庭側連絡事項記入欄との間に、前記外観特徴事項記入欄が配置されていることを特徴とする乳幼児用連絡帳を提供して、上記課題を解消するものである。
【考案の効果】
【０００５】
本考案によれば、上紙の各記入欄に情報を記載することで、その上紙と組となってその上紙の下位に位置する下紙に情報が同時に複写されるため、別の帳面などに転記する必要がなく、頗る使い易いものとなる。
また、時刻割り行為情報記入欄において、預け入れ施設の乳幼児預かり受け時間から、または乳幼児引き渡し時間から時刻割りが割り振られているので、生活行為の情報を記載しようとする記載者が、その記載位置を探し出し易いものとなる。
時刻割り行為情報記入欄の時刻割りの並びと、預け入れ施設側連絡事項記入欄及び家庭側連絡事項記入欄との配置が対応付けられているようになっているので、時刻割り行為情報記入欄に記載した情報に関連する情報を、預け入れ施設のシッター、また家庭での父母などそれぞれが、近傍位置にある情報記入欄に直ぐに書き込むことができ、記載忘れを無くすのに効果がある。
さらに、外観特徴事項記入欄が、預け入れ施設側連絡事項記入欄と家庭側連絡事項記入欄との間に配置されているため、乳幼児の身体に関する情報を預け入れ施設側連絡事項記入欄や家庭側連絡事項記入欄に記載された情報に関連付けして説明記載することができるとともに、乳幼児の身体に関する情報の分散を防止して情報の伝達が明確になる。
【考案を実施するための最良の形態】
【０００６】
つぎに本考案を図示の実施の形態に基づいて詳細に説明する。
図中１は乳幼児用連絡帳で、該乳幼児用連絡帳１は図１に示されているように、片綴じされた冊子部２と、この冊子部２を間にして重ね合わされて冊子部２の綴じ元と同じ位置で綴じられた上カバー３及び下カバー４と、前記下カバー４の綴じ側とは反対側の端辺に連続して冊子部２の上面側に折り返して冊子部内に差し入れ配置できるようにした下敷き５とを備えてなるものである。
そして、上記冊子部２にあっては、上紙６と下紙７とが重ね合わされて上紙６への書き込み情報が下紙７に同時複写されるノンカーボンシステムを有する組を複数にして一辺側で綴じ合わせた片綴じ帳の形態として形成されており、各組の前記下紙７は綴じ元側に切取りミシン目８などが穿設されて綴じ元側から分離可能に設けられている。このように上紙６への記載情報が下紙７へ同時複写できる構成としていることから、上記下敷き５は情報記載する組の下に挿し入れて下位の組に情報が複写されるのを防止する目的で使用される。
後述するように乳幼児用連絡帳１における冊子部２を複数組で構成している上紙６にあっては、最終的には乳幼児の家庭の父母などの育児者が所持することになる伝票部分であり、また、下紙７にあっては切り取ることで乳幼児の預け入れ施設者側が所持管理することになる伝票部分である。
【０００７】
上記上紙６と下紙７とはそれぞれ同一の記入欄を上下に重なる位置にして配置されていて、本連絡帳１に綴じ込み残して父母側が最終管理すべき伝票とすべき上紙６と乳幼児預け入れ施設者側が切取り管理する伝票とすべき下紙７との見分けが容易になるように、欄の印刷色が上紙６と下紙７とで異なっている。
そして、上紙６と下紙７とのそれぞれにはつぎの記入欄が設けられている。なお、図２においては説明を容易にするために、上紙６での各記入欄が記載されているが、図で一部を示す下紙７においても同一である。
【０００８】
（時刻割り行為情報記入欄）
まず、この上紙６と下紙７とのそれぞれには、上段側に、乳幼児預け入れ施設者側から家庭の育児者側に乳幼児を引き渡す一般的な時刻を始端として２４時間表記の時刻割りされた時刻割り行為情報記入欄９が配置されている。この時刻割り行為情報記入欄９は、図示されているように時刻割りを横方向に並び設けて、乳幼児の生活行為である食事、睡眠、排便などの一日の生活行為にかかる情報を、その生活行為を行なった行動時刻位置に記入する部分であり、一日の生活リズムやどのような食事メニューを何時食べたかなどが記載情報から判るようにした記入欄である。
そして、この実施の例では時刻割りの始端を一般的な家庭引き渡し時刻としているため、始端側を含む家庭内の生活行為の時間帯と、その横に欄終端を含む乳幼児預け入れ施設内での生活行為の時間帯とが連続して並設されており、それぞれ乳幼児の生活行為を行なった行動時刻に対応する位置に記載すればよい。
なお、この時刻割り行為情報記入欄の始端側（綴じ元側であり、図での左側）を乳幼児預け入れ施設内での生活行為の時間帯と左側を家庭内の生活行為の時間帯とする時刻割りとしてもよい。さらに、この時刻割り行為情報記入欄９の上側には記載日、天候、乳幼児名の名前などを記載する部分が設けられていて、他の上紙との区別、他の乳幼児情報との区別などが明確になるようにしている。
【０００９】
（家庭側連絡事項記入欄、預け入れ施設側連絡事項記入欄）
上記時刻割り行為情報記入欄９の下となる下段側には、家庭側連絡事項記入欄１０と預け入れ施設側連絡事項記入欄１１とが配置されていて、上述したように時刻割り行為情報記入欄９において始端側が乳幼児の家庭所在時間帯となる部分としていることから、綴じ元側に家庭側連絡事項記入欄１０を配置してこの家庭側連絡事項記入欄１０を、時刻割り行為情報記入欄９の家庭所在時間帯となる部分に近接位置させている。
また、同様に、時刻割り行為情報記入欄９において家庭所在時間帯となる部分の横に預け入れ施設所在時間帯となる部分が並んで連続していることから、綴じ元とは反対側となるように前記家庭側連絡事項記入欄１０と対向させて預け入れ施設側連絡事項記入欄１１が配置され。この預け入れ施設側連絡事項記入欄１１を時刻割り行為情報記入欄９の預け入れ施設側所在時間帯となる部分に近接位置させている。
【００１０】
このように家庭側連絡事項記入欄１０と預け入れ施設側連絡事項記入欄１１とを、乳幼児の所在時間帯に対応した状態で時刻割り行為情報記入欄９に近接させているので、時刻割り行為情報記入欄９に記載した情報に関連する情報をその下の各事項記入欄１０に記載しやすくなり、情報の記載忘れなどを防止できる。そして、時刻割り行為情報記入欄９に記載した情報に関連しなくとも、その時刻割り行為情報記入欄９に情報を記載する記載者とっては、その下に連絡事項の記載欄があることが便利であり、家庭側連絡事項記入欄であるか、預け入れ施設側連絡事項記入欄であるかの確認を省くことができ、使い勝手が良好なものとなっている。
なお、図示の実施の形態では、家庭側連絡事項記入欄１０と預け入れ施設側連絡事項記入欄１１とのそれぞれに、それぞれ乳幼児が所在した場所での検温情報や体調、情報記入者名などの情報を記載する部分も設けられている。
【００１１】
（外観特徴事項記入欄）
上記家庭側連絡事項記入欄１０と預け入れ施設側連絡事項記入欄１１との間に外観特徴事項記入欄１２が配置されている。この外観特徴事項記入欄１２は、乳幼児の前姿と後姿との身体模式図１３が印刷されており、乳幼児が所在した預け入れ施設や家庭でその日それぞれでシッター、そして父母などが気づいた乳幼児の外観特徴の変化した事項、例えばアセモの発生部位などの外観特徴事項を身体模式図１３を利用して記入する部分である。
そして、この外観特徴事項記入欄１２が、家庭側連絡事項記入欄１０と預け入れ施設側連絡事項記入欄１１との間にあって、それぞれの記入欄１０、１１に近接しており、この外観特徴事項記入欄１２に記載した情報に関連した情報を、家庭側連絡事項記入欄１０と預け入れ施設側連絡事項記入欄１１に記載することができ、逆に家庭側連絡事項記入欄１０や預け入れ施設側連絡事項記入欄１１に記載した情報に関連付けてこの外観特徴事項記載欄１２に情報を記載することも可能であり、預け入れ施設者側から家庭の育児者側へ、また、家庭育児者側から預け入れ施設者側へ乳幼児の外観として確認できる身体的特徴の変化を確実に伝達できるように設けられている。
なお、図において１４は綴じ孔であり、分離した複数枚の下紙７を綴じまとめし易くするためのものである。
【図面の簡単な説明】
【００１２】
【図１】本考案に係る乳幼児用連絡帳の一例における外観を概略的に示す説明図である。
【図２】一例における記入欄配置を示す説明図である。
【符号の説明】
【００１３】
１…乳幼児用連絡帳
２…冊子部
３…上カバー
４…下カバー
５…下敷き
６…上紙
７…下紙
８…切り取りミシン目
９…時刻割り行為情報記入欄
１０…家庭側連絡事項記入欄
１１…預け入れ施設側連絡事項記入欄
１２…外観特徴事項記入欄
１３…身体模式図
１４…綴じ孔
【図１】
0003146581.tif 000003
【図２】
0003146581.tif 000004